(57)【要約】【課題】パネル本体の所望位置における拘束を、腰を屈めてガイド突起を目視するような作業を必要とせずに行う。【解決手段】上部が吊支され、下部にガイド凹部２を有するパネル本体３の前記ガイド凹部２に床面に設けられたガイド突起４を係止させてガイドするようにしたスライド式パネル装置において、前記ガイド凹部内に前記ガイド突起４との当接によって揺動可能とした干渉部材１８、１９を設けるとともに、前記揺動を拘束しうる拘束部材２１を設けて、この拘束部材２１を操作することにより、パネル本体３を所望位置に拘束する。【選択図】  図５
2016142049.tif 000002
【特許請求の範囲】
【請求項１】
上部が走行可能に吊支されるとともに、下部にガイド凹部を有するパネル本体と、床面に設けられたガイド突起とを備え、前記パネル本体のガイド凹部に前記ガイド突起を係合させることにより、前記パネル本体の下部が前記ガイド突起により前記ガイド凹部の長手方向にガイドされるようにしたスライド式パネル装置において、前記ガイド凹部内に、前記ガイド突起との当接によってこのガイド突起の走行方向に下部が揺動可能な干渉部材と、この干渉部材を前記ガイド突起の走行方向には前記揺動が可能で、前記走行方向と逆の走行方向には前記揺動が不能に拘束する拘束部材とを備えることを特徴とするスライド式パネル装置。
【請求項２】
上部が走行可能に吊支されるとともに、下部にガイド凹部を有するパネル本体と、床面に設けられたガイド突起とを備え、前記パネル本体のガイド凹部に前記ガイド突起を係合させることにより、前記パネル本体の下部が前記ガイド突起により前記ガイド凹部の長手方向にガイドされるようにしたスライド式パネル装置において、前記ガイド凹部内に、前記ガイド突起との当接によってこのガイド突起の走行方向に下部が揺動可能であり、かつ前記ガイド突起の走行方向に順次配設された第１干渉部材、第２干渉部材と、前記第１干渉部材を前記ガイド突起の前記走行方向には前記揺動が可能で、前記走行方向と逆の走行方向には前記揺動が不能に拘束するとともに、前記第２干渉部材を前記ガイド突起の前記走行方向に前記揺動が不能に拘束する拘束部材とを備えることを特徴とするスライド式パネル装置。
【請求項３】
干渉部材が、ガイド凹部の幅方向と平行をなす枢軸回りに枢支されていることにより、前記干渉部材の下部がガイド突起の走行方向に揺動可能となっている請求項１または２に記載のスライド式パネル装置。
【請求項４】
拘束部材は、干渉部材の揺動を拘束しない上部位置と、干渉部材の揺動を拘束する下部位置の両位置に移動するように操作可能である請求項１〜３のいずれかに記載のスライド式パネル装置。
【請求項５】
拘束部材は、ガイド突起の走行方向と直交する側面視において、干渉部材に上方から嵌合する下向きコ字状のストッパー金具を備え、このコ字状を形成する左右側板は下部が外側に開いているものである請求項１〜４のいずれかに記載のスライド式パネル装置。
【請求項６】
床面に設けられたガイド突起が、磁力により突出する係止部を備えており、パネル本体のガイド凹部の端部近傍に設けられた磁石を有する磁着体により、前記係止部が床面より突出し、前記ガイド凹部に係合してガイド突起が走行可能となる請求項１〜５のいずれかに記載のスライド式パネル装置。
【請求項７】
拘束部材によって拘束された第１干渉部材と第２干渉部材間に、ガイド突起の係止部の大きさよりも大きい間隙が形成されている請求項２〜６のいずれかに記載のスライド式パネル装置。
【発明の詳細な説明】
【技術分野】
【０００１】
本発明は、上部が走行可能に吊支され、下部が床面から突没するガイド突起によって走行方向にガイドされるスライド式パネル装置に関する。
【背景技術】
【０００２】
前記技術分野に属するスライド式パネル装置として、たとえば、特許文献１〜３に開示されるものが公知である。
特許文献１に開示されるスライド式パネル装置では、引戸１０の走行時に、磁力により突出するガイド突起１５が、傾斜ガイド５２により上方へ案内されて走行溝２０の両端溝部に係合することにより、引戸１０を開閉方向へ案内するものである。この発明は、傾斜ガイド５２の形状を利用して、磁力を近接状態で作用させることによって、確実にガイド突起１５を走行溝２０内に位置させ得る点で大きな効果を奏する。
【０００３】
また、特許文献２、３に開示されるスライド式パネル装置では、パネルを床面に対して密接した状態、あるいは拘束された状態にすることが可能になっている。
まず、特許文献２に開示されるものでは、吊戸本体３の下部に形成された摺接走行溝部５の底部に磁性体１７が配設され、この磁性体に向けてガイドピン４が床面内から突出することによって溝部５に嵌合するようになっている。また、特許文献３に開示されるものでは、パネルＡ下部に形成された開口部５、６に固定ピン４が摺動可能に支持されており、このピン４を床面に形成した壺部Ｂに嵌合させることでパネルＡは床面に拘束されるようになっている。
一方、特許文献１に開示されるスライド式パネル装置においても、パネルとしての使用態様によっては床面に走行不能に拘束され、位置が固定されることが望ましい。しかし、ガイド突起は非常に小さい部品であることから、特許文献２、３に開示されるようなパネルを所望位置に正確に停止させるための機構を盛り込むと、腰を屈めてガイド突起を目視しながら作業を行う必要があり、作業性が悪くなることが考えられる。
【先行技術文献】
【特許文献】
【０００４】
【特許文献１】特許第５３２５３２５号公報
【特許文献２】実用新案登録第２５３３５３８号公報
【特許文献３】特開２００１−２６２９２４号公報
【発明の概要】
【発明が解決しようとする課題】
【０００５】
本発明は、前記の現状に鑑みてなされたものであり、上部が走行可能に吊支されるとともに、下部にガイド凹部を有するパネル本体を、床面に設けられたガイド突起を前記ガイド凹部に係合させることにより、床面に対してガイドされるようにしたスライド式パネル装置において、パネル本体の所望位置における拘束を、腰を屈めてガイド突起を目視するような作業を必要とせずに、容易に、かつ低コストで行いうるスライド式パネル装置          を提供することを目的とする。
【課題を解決するための手段】
【０００６】
本発明によると、前記課題は、次のような手段によって解決される。
（１）上部が走行可能に吊支されるとともに、下部にガイド凹部を有するパネル本体と、床面に設けられたガイド突起とを備え、前記パネル本体のガイド凹部に前記ガイド突起を係合させることにより、前記パネル本体の下部が前記ガイド突起により前記ガイド凹部の長手方向にガイドされるようにしたスライド式パネル装置において、前記ガイド凹部内に、前記ガイド突起との当接によってこのガイド突起の走行方向に下部が揺動可能な干渉部材と、この干渉部材を前記ガイド突起の走行方向には前記揺動が可能で、前記走行方向と逆の走行方向には前記揺動が不能に拘束する拘束部材とを備えることを特徴とするスライド式パネル装置とする。
【０００７】
このような構成とすることにより、干渉部材は拘束部材に拘束された状態にあっても、ガイド突起の走行方向は揺動可能であるので、パネル本体の位置を固定したい場合には、拘束部材を拘束状態に移行しておけば、ガイド突起の走行方向には拘束されず、これと逆の方向のみが拘束される。このため腰を屈めてガイド突起を目視するような作業を必要とせずに、容易に、かつ低コストでパネル本体を拘束することができる。
【０００８】
（２）上部が走行可能に吊支されるとともに、下部にガイド凹部を有するパネル本体と、床面に設けられたガイド突起とを備え、前記パネル本体のガイド凹部に前記ガイド突起を係合させることにより、前記パネル本体の下部が前記ガイド突起により前記ガイド凹部の長手方向にガイドされるようにしたスライド式パネル装置において、前記ガイド凹部内に、前記ガイド突起との当接によってこのガイド突起の走行方向に下部が揺動可能であり、かつ前記ガイド突起の走行方向に順次配設された第１干渉部材、第２干渉部材と、前記第１干渉部材を前記ガイド突起の前記走行方向には前記揺動が可能で、前記走行方向と逆の走行方向には前記揺動が不能に拘束するとともに、前記第２干渉部材を前記ガイド突起の前記走行方向に前記揺動が不能に拘束する拘束部材とを備えることを特徴とするスライド式パネル装置とする。
【０００９】
このような構成とすることにより、前記（１）項と同様な効果が奏されるとともに、ガイド突起が第１干渉部材と第２干渉部材間に拘束されるため、前記（１）項の場合よりも、パネル本体を所望位置に一層確実に拘束することができる。
【００１０】
（３）前記（１）項または（２）項において、干渉部材が、ガイド凹部の幅方向と平行をなす枢軸回りに枢支されていることにより、前記干渉部材の下部がガイド突起の走行方向に揺動可能となっているようにする。
【００１１】
このような構成とすることにより、干渉部材は、自重で下向きに垂れ下がり、下部がガイド突起の走行方向に揺動可能な構造を容易に構成することができる。また、干渉部材は、枢軸より離れるほど小さい力で揺動するため、ガイド突起が干渉部材の下部に当接することにより、干渉部材は容易に揺動する。
【００１２】
（４）前記（１）項〜（３）項のいずれかにおいて、拘束部材は、干渉部材の揺動を拘束しない上部位置と、干渉部材の揺動を拘束する下部位置の両位置に移動するように操作可能であるようにする。
【００１３】
このような構成とすることにより、パネル本体を拘束する必要のない場合には、拘束部材を上部位置に保持すればパネル本体を左右のいずれの方向にも走行させることができるとともに、所望位置で拘束させる必要がある場合には、拘束部材を下部位置に保持することにより、パネル本体を当該所望位置で拘束することができる。
【００１４】
（５）前記（１）項〜（４）項のいずれかにおいて、拘束部材は、ガイド突起の走行方向と直交する側面視において、干渉部材に上方から嵌合する下向きコ字状のストッパー金具を備え、このコ字状を形成する左右側板は下部が外側に開いているものとする。
【００１５】
このような構成とすることにより、拘束部材の上下方向の移動ストロークを大きく確保することなく、干渉部材を拘束することができる。
【００１６】
（６）前記（１）項〜（５）項のいずれかにおいて、床面に設けられたガイド突起が、磁力により突出する係止部を備えており、パネル本体のガイド凹部の端部近傍に設けられた磁石を有する磁着体により、前記係止部が床面より突出し、前記ガイド凹部に係合してガイド突起が走行可能となるようにする。
【００１７】
このような構成とすることにより、ガイド突起の係止部を、不使用時には、床面とほぼ同一面上に位置させて、通行の障害となることを防止するとともに、使用時においては、前記係止部をパネル本体のガイド部に容易に係合させることができる。
【００１８】
（７）前記（２）項〜（６）項のいずれかにおいて、拘束部材によって拘束された第１干渉部材と第２干渉部材間に、ガイド突起の係止部の大きさよりも大きい間隙が形成されるようにする。
【００１９】
このような構成とすることにより、拘束状態において、パネル本体の位置の微調整が可能となる。
【発明の効果】
【００２０】
本発明は、パネル本体の所望位置における拘束を、腰を屈めてガイド突起を目視するような作業を必要とせずに、容易に、かつ低コストで行う      ことができる。
【図面の簡単な説明】
【００２１】
【図１】本発明のスライド式パネル装置の正面図である。
【図２】パネル本体の下部の部分拡大正面図である。
【図３】パネル本体の下部の拡大縦断面図である。（ａ）、（ｂ）はそれぞれ図２におけるIIIａ〜IIIａ、IIIｂ〜IIIｂ断面図である。
【図４】ガイド凹部を形成する部材やガイド突起等を拡大し、一部破断して示す上方斜視図である。
【図５】拘束部材による干渉部材の拘束形態を拡大して示す正面図であり、（ａ）は非拘束状態、（ｂ）は拘束状態を示す。
【発明を実施するための形態】
【００２２】
以下、本発明を、実施形態を示す図面に基づいて説明する。
図１は、本発明のスライド式パネル装置の正面図である。本発明のスライド式パネル装置は、上部がレール１に走行可能に吊支されるとともに、下部にガイド凹部２を有するパネル本体３と、床面Ｓに設けられたガイド突起４とを備え、前記パネル本体３のガイド凹部２に前記ガイド突起４を係合させることにより、パネル本体３の下部が前記ガイド突起４によりガイドされるようになっている。
【００２３】
図２は、パネル本体３の下部の部分拡大正面図、図３は、パネル本体３の下部の拡大縦断面図であり、（ａ）、（ｂ）はそれぞれ図２におけるIIIａ〜IIIａ、IIIｂ〜IIIｂ断面図である。また、図４は、ガイド凹部２を形成する部材やガイド突起４等を拡大し、一部破断して示す上方斜視図である。
【００２４】
パネル本体３の下部のガイド凹部２は、パネル本体３の一対の側板５間の下端近傍に設けられている横架材６と、前記一対の側板５の下部によって形成される横架材６より下方の取付凹溝７に、ガイド凹部２の形成部材を取付けることによって形成される。
【００２５】
ガイド凹部２の形成部材は、ガイドレール部材８と干渉部材受具９とよりなる。これらのガイドレール部材８、干渉部材受具９は、次のようにして前記取付凹溝７内に取付けられている。
取付凹溝７内には、図３（ｂ）に示すように、パネル本体３の側板５の下端を覆う一対の縁材１０が取付けられている。この縁材１０には、上下方向の中央よりやや上方に内向きの第１係止突起１０ａ、上端に同じく内向きの第２係止突起１０ｂが設けられている。縁材１０の下端と第１係止突起１０ａ間には、スペーサ１１が嵌合され、このスペーサ１１の下面には、ガイドレール部材８を嵌合するための嵌合溝１２が設けられている。またこの嵌合溝１２の上面には、図２に示すように、適所にボルト１３用の挿通孔１４が貫設されている。
【００２６】
縁材１０とスペーサ１１は、ボルト１３をスペーサ１１の前記挿通孔１４に貫挿させて、横架材６に螺止することにより、パネル本体３の下部の取付凹溝７内に取付けられている。前記スペーサ１１は、パネル本体３の走行方向の中央部分を除く部分に配設されている。スペーサ１１が配設されている部分におけるガイド凹部２は、パネル本体３の走行方向の両端近傍を除いて、図３（ｂ）に示すように、スペーサ１１の下面に設けられた嵌合溝１２内にガイドレール部材８を嵌合することにより形成される。ガイドレール部材８は、下向きコ字状の断面を有し、下端には、内向きの係止レール部８ａが設けられている。
【００２７】
パネル本体３の走行方向の中央部分におけるガイド凹部２は、図３（ａ）に示すように、干渉部材受具９によって形成される。縁材１０は、前記中央部分（以下、「中央縁材部」という）においては、第１係止突起１０ａは存在せず、第２係止突起１０ｂのみが設けられている。
【００２８】
縁材１０の前記中央縁材部内には、干渉部材受具９が嵌合されている。干渉部材受具９は、互いに向き合う一対の逆Ｌ字状の部材からなり、下端には内向きの係止レール部９ａが設けられている。干渉部材受具９は、図２、図４に示すように、下方から小ボルト１５を、干渉部材受具９の天板に設けられたボルト挿通孔９ｂに貫挿させて、横架材６に螺止することにより、取付けられている。
【００２９】
干渉部材受具９の左右には、ガイドレール部材８が当接状態で配設されており、これらガイドレール部材８、干渉部材受具９により、パネル本体３の下部には走行方向に連続するガイド凹部２が形成されている。またガイドレール部材８の係止レール部８ａ、干渉部材受具９の係止レール部９ａに、ガイド突起４が係合することとなる。
【００３０】
ガイド突起４は、図４、図５に示すように、ベース板４ａと、第１凸状部材４ｂ、磁石によって吸引される係止部としての頭部４ｄを有する第２凸状部材４ｃとからなり、第１凸状部材４ｂ、第２凸状部材４ｃは上下方向に出没可能となっている。ガイド突起４は、ベース板４ａによって床面に取付けられており、不使用時には第１凸状部材４ｂ、第２凸状部材４ｃは床面とほぼ同一面となっている。
【００３１】
パネル本体３の走行方向の両端近傍に位置するガイド凹部２の端部近傍には、図４に示すように、ガイドレール部材８と連続して傾斜ガイド１６が設けられており、この傾斜ガイド１６は、木ねじ１７によってスペーサ１１に止着されている。
【００３２】
傾斜ガイド１６は、パネル本体３の両端から中央に向って上り勾配となり、かつ下方が開口するガイド溝１６ａを有しており、このガイド溝１６ａは、ガイドレール部材８のガイド凹部２と連続している。また、傾斜ガイド１６には磁石を有する磁着体１６ｂが設けられており、床面に設けられたガイド突起４の頭部４ｄが磁石の磁力により吸引されて、第２凸状部材４ｂ、第１凸状部材４ｃが突出し、ガイド突起４は、前記ガイド溝に案内されて、ガイド突起４における係止部としての頭部４ｄがガイド凹部２に係合して走行可能となる。
【００３３】
図４に示すように、パネル本体３の走行方向の中央部分に設けられた干渉部材受具９によって形成されたガイド凹部２内には、ガイド突起４との当接によって、前記ガイド突起４の走行方向に下部が揺動可能な干渉部材１８、１９が設けられている。干渉部材は、ガイド突起４の走行方向に第１干渉部材１８と第２干渉部材１９とが順次配設されている。
【００３４】
干渉部材１８、１９は、上下方向に長く、断面が四辺形状の揺動本体部１８ａ、１９ａと、この揺動本体部１８ａ、１９ａの頂部に設けられた枢支用筒体部１８ｂ、１９ｂとよりなる。
図４に示すように、干渉部材１８、１９は、前記枢支用筒体部１８ｂ、１９ｂに挿通され、干渉部材受具９に止着された、ガイド凹部２の幅方向と平行をなす枢軸２０回りに枢支されており、干渉部材１８、１９の下部がガイド突起４の走行方向に揺動可能となっている。
【００３５】
また、干渉部材受具９によって形成されたガイド凹部２内には、前記干渉部材１８、１９の揺動を拘束する拘束部材２１が設けられている。
拘束部材２１は、図２、図４に示すように、干渉部材１８、１９を拘束するストッパー金具２１ａと操作つまみ部２１ｂと、これら両者を連結するシャフト２１ｃとよりなる。
【００３６】
図５は、拘束部材２１による干渉部材１８，１９の拘束形態を拡大して示す正面図であり、（ａ）は非拘束状態、（ｂ）は拘束状態を示す。
ストッパー金具２１ａは、ガイド突起４の走行方向と直交する側面視において、干渉部材１８，１９に上方から嵌合する下向きコ字状をなし、このコ字状を形成する左右の側板は下部が外側に開いた形状となっている。
拘束部材２１は、図５（ａ）に示す干渉部材１８，１９の揺動を拘束しない上部位置と、図５（ｂ）に示す干渉部材１８，１９の揺動を拘束する下部位置の両位置に移動するように操作可能となっている。この両位置へ移動させるための操作は、図２、図４に示す操作つまみ部２１ｂによって行う。操作つまみ部２１ｂは、パネル本体３の側板５に設けられた操作つまみ枠２２内に配設され、パネル本体３の外方から操作できるようになっている。
【００３７】
また、干渉部材受具９の天板９ｃには、磁石キャッチャー２３が取付けられている。操作つまみ部２１ｂによって、ストッパー金具２１ａを、図５（ａ）に示す干渉部材１８，１９の揺動を拘束しない上部位置にすると、ストッパー金具２１ａは、磁石キャッチャー２３により、前記上部位置に固定される。
【００３８】
また、操作つまみ部２１ｂが上下方向に操作しうる可動範囲は、操作つまみ枠２２により規制されており、この可動範囲の下限位置に操作つまみ部２１ｂを操作すると、ストッパー金具２１ａは、図５（ｂ）に示す干渉部材１８，１９の揺動を拘束する下部位置となる。
【００３９】
この下部位置においては、ストッパー金具２１ａは、第１干渉部材１８を、図５（ｂ）において左から右に向うガイド突起４の走行方向には揺動可能であるが、前記走行方向と逆の走行方向には揺動不能に拘束するとともに、第２干渉部材１９を、左から右に向うガイド突起４の前記走行方向には揺動不能に拘束する。したがって、ガイド突起４は、前記第１干渉部材１８と第２干渉部材１９間内に拘束される。これにより、パネル本体３の走行も拘束されることになる。すなわち、パネル本体３の所望位置における拘束を、操作つまみ部２１ｂの操作により、容易に行うことができる。
【００４０】
なお、第１干渉部材１８と第２干渉部材１９間に、ガイド突起４の係止部である頭部４ｄの大きさよりも大きい間隙が形成されるようにしておくことにより、拘束状態におけるパネル本体３の位置を微調整することもできる。
【００４１】
さらに、前記第２干渉部材１９を設けずに、前記第１干渉部材１８のみを設けることによっても、この第１干渉部材１８は、前記のように、左から右に向うガイド突起４の走行方向には揺動可能であるが、前記走行方向と逆の走行方向には揺動不能に拘束されているため、パネル本体３の一方向における拘束を行うことができる。
【００４２】
以上説明したように、本発明のスライド式パネル装置は、パネル本体３の所望位置における拘束を、操作つまみ部２１ｂの操作により、腰を屈めてガイド突起４の位置を目視するような作業を必要とせずに容易に行うことができる。また、干渉部材１８、１９と拘束部材２１は簡単に設けることができるため低コストである。
【符号の説明】
【００４３】
１    レール
２    ガイド凹部
３    パネル本体
４    ガイド突起
４ａ  ベース板
４ｂ  第１凸状部材
４ｃ  第２凸状部材
４ｄ  頭部
５    側板
６    横架材
７    取付凹溝
８    ガイドレール部材
８ａ  係止レール部
９    干渉部材受具
９ａ  係止レール部
９ｂ  ボルト挿通孔
９ｃ  天板
１０    縁材
１０ａ  第１係止突起
１０ｂ  第２係止突起
１１    スペーサ
１２    嵌合溝
１３    ボルト
１４    挿通孔
１５    小ボルト
１６    傾斜ガイド
１６ａ  ガイド溝
１６ｂ  磁着体
１７    木ねじ
１８    第１干渉部材
１８ａ  揺動本体部
１８ｂ  枢支用筒体部
１９    第２干渉部材
１９ａ  揺動本体部
１９ｂ  枢支用筒体部
２０    枢軸
２１    拘束部材
２１ａ  ストッパー金具
２１ｂ  操作つまみ部
２１ｃ  シャフト
２２    操作つまみ枠
２３    磁石キャッチャー
【図１】
2016142049.tif 000003
【図２】
2016142049.tif 000004
【図３】
2016142049.tif 000005
【図４】
2016142049.tif 000006
【図５】
2016142049.tif 000007